(57)【要約】【課題】  ノイズリデューサから出力された２−３変換後の６０Ｐ映像信号を、２−３逆変換により元の２４Ｐ映像信号に再度変換してから記録媒体に記録するシステムでは、その記録媒体から再生した２４Ｐ映像信号の画像品位が劣化する。【解決手段】  ２−３変換メモリ１４は、信号処理部１３から出力された２４Ｐ映像信号を６０Ｐ映像信号に変換して出力する。ＮＲ部１８は、入力される６０Ｐ映像信号と内部のメモリからの映像信号とのフレーム間差信号を生成し、そのフレーム間差信号に係数を乗算して得た信号を入力６０Ｐ映像信号と減算して出力すると共に、６０Ｐ映像信号の所定のタイミングに同期した更新パルスに基づき、雑音除去した６０Ｐ映像信号を間欠的に入力する。ＮＲ部１８からの６０Ｐ映像信号は、２−３逆変換メモリ１９により更新パルスに基づき、所定フレームの６０Ｐ映像信号を用いて２４Ｐ映像信号に変換される。【選択図】            図１
2006086915.tif 000002
【特許請求の範囲】
【請求項１】
第１のフレーム周波数の第１の映像信号を前記第１のフレーム周波数よりも高い第２のフレーム周波数の第２の映像信号に変換し、その第２の映像信号をノイズ除去してモニタ装置で再生表示すると共に、ノイズ除去後の前記第２の映像信号を前記第１のフレーム周波数の第３の映像信号に逆変換して第１の記録媒体に記録する記録再生システムであって、
前記第１の映像信号を供給する供給手段と、
前記第１の映像信号を前記第２の映像信号に変換する第１の変換手段と、
前記第１の変換手段から出力された前記第２の映像信号に対してフレーム間差信号を生成し、そのフレーム間差信号に基づいてノイズ除去処理を行うノイズ除去手段と、
前記ノイズ除去手段から出力された前記ノイズ除去後の第２の映像信号に対して、前記第１の変換手段の逆変換を行って、前記第３の映像信号を出力する第２の変換手段と、
前記第２の変換手段から出力された前記第３の映像信号を前記第１の記録媒体に記録する記録手段と、
前記ノイズ除去手段及び前記第２の変換手段の動作を制御する更新パルスを発生する更新パルス発生手段と
を有し、前記第１の変換手段は、前記第１の映像信号の各フレームを複数回ずつ繰り返して前記第２のフレーム周波数で出力する変換動作を行い、
前記ノイズ除去手段は、前記ノイズ除去後の第２の映像信号を蓄積するメモリから読み出した信号と、前記第１の変換手段から出力された前記第２の映像信号との差分である前記フレーム間差信号を生成して、そのフレーム間差信号に係数を乗算した信号を前記第２の映像信号から差し引くことにより前記ノイズ除去後の第２の映像信号を出力すると共に、前記第１の変換手段から出力された前記第２の映像信号中の前記第１の映像信号のフレームが切り替わった直後のフレームのみを前記更新パルスに基づき前記メモリに書き込むスイッチ手段を有する構成であり、
前記第２の変換手段は、前記更新パルスに基づき前記第２の映像信号中の前記第１の映像信号のフレームが切り替わった直後のフレームのみを用いて前記第１のフレーム周波数の前記第３の映像信号を出力する変換動作を行うことを特徴とする記録再生システム。
【請求項２】
前記供給手段は、撮像素子により被写体を撮像して前記第１のフレーム周波数の撮像信号を前記第１の映像信号として出力する撮像手段、及び第２の記録媒体から再生した前記第１のフレーム周波数の映像信号を前記第１の映像信号として出力する再生手段の少なくともどちらか一方により構成されていることを特徴とする請求項１記載の記録再生システム。
【発明の詳細な説明】
【技術分野】
【０００１】
本発明は記録再生システムに係り、特にフレーム周波数が変換され、かつ、ノイズ除去処理された後の映像信号を、モニタ装置に再生表示すると共に、元のフレーム周波数に再度変換してから記録媒体に記録する記録再生システムに関する。
【背景技術】
【０００２】
フレーム周波数が変換され、かつ、ノイズ除去処理された後の映像信号を、モニタ装置に再生表示すると共に、元のフレーム周波数に再度変換してから記録媒体に記録する記録再生システムとして、例えばビデオカメラで撮像して得られた映像信号を、その撮像映像信号とは異なるフレーム周波数の映像信号表示用モニタ装置で表示させるために、モニタ装置に適したフレーム周波数に変換し、その後ノイズ除去を行うシステムがある（例えば、特開平９−３０７８９４号公報）。
【０００３】
上記のシステムが、例えば映画フィルムと同じ毎秒２４駒の映像信号、すなわち、フレーム周波数２４Ｈｚのプログレッシブ映像信号（２４Ｐ映像信号）を、フレーム周波数６０Ｈｚのプログレッシブ映像信号（６０Ｐ映像信号）を表示するためのモニタ装置で表示させるシステムの場合には、２４Ｐ映像信号に対して周知の２−３変換（プルダウン変換）を行い、更にノイズ除去を行ってからモニタ装置に出力する。
【０００４】
上記の２−３変換により、２４Ｐ映像信号の２フレーム分（＝１／１２秒）が、６０Ｐ映像信号の５フレーム分（＝１／１２秒）に変換される。この２−３変換は、６０Ｐ映像信号に対して、例えば図７（Ａ）に示すように、２４Ｐ映像信号の１フレーム目をフレーム周波数６０Ｈｚで２回繰り返して出力した後、２４Ｐ映像信号の２フレーム目をフレーム周波数６０Ｈｚで３回繰り返して出力することを繰り返すことにより、同図（Ｂ）に示す６０Ｐ映像信号を得る変換方法である。
【０００５】
上記の変換が行われた６０Ｐ映像信号に対してノイズ除去を行う場合、上記の特許文献１ではフレーム毎にノイズを除去するノイズフィルタを用いているが、その構成は３つの乗算器を必要とする非巡回型フィルタ構成であり、構成が複雑で高価である。そこで、上記のノイズフィルタの替わりに、従来から知られている図８に示す巡回型のノイズリデューサを用いることが考えられる。
【０００６】
同図において、入力映像信号は、減算器１を介してメモリ２に供給されて１フレーム遅延される一方、減算器３に供給される。減算器３は入力映像信号からメモリ２の読み出し１フレーム遅延映像信号を差し引く減算処理を行ってフレーム間差信号を生成し、そのフレーム間差信号を係数回路４に供給する。
【０００７】
係数回路４は、入力フレーム間差信号の値に応じた係数を、入力フレーム間差信号に乗算した信号を出力する回路で、例えば、入力フレーム間差信号の値と出力乗算信号の値とを対応させたテーブルを予め記憶しているリード・オンリ・メモリ（ＲＯＭ）から構成されている。
【０００８】
この係数回路４は、入力フレーム間差信号の値が小さければ、フレーム間の動きが小さい映像信号であり、その値は殆どノイズであるとして、ノイズ除去のための係数を大きくしてノイズを除去効果を大とし、他方、入力フレーム間差信号の値が大きければ、フレーム間の動きが大きい動画であると判断して、大きくノイズ除去を行うと動画の部分にぼけが生じるので、それを抑えて視覚の残像の範囲に抑えるため、ノイズ除去のための係数を小さくしてノイズ除去効果を抑える。
【０００９】
減算器１は、入力映像信号と係数回路４からの乗算信号との減算を行い、入力映像信号からノイズ成分の除去された映像信号を出力すると共に、メモリ２に供給して記憶させる。このようにして、この巡回型のノイズリデューサによれば、乗算器が不要であり、前記ノイズフィルタよりも簡単な構成により、ノイズを除去することができる。
【００１０】
【特許文献１】特開２００３-０００１００号公報
【発明の開示】
【発明が解決しようとする課題】
【００１１】
しかるに、上記のノイズリデューサから出力された２−３変換後の６０Ｐ映像信号を、６０Ｐ映像信号表示用のモニタ装置で表示させる一方、上記の２−３変換とは逆の変換動作を行う所謂２−３逆変換により元の２４Ｐ映像信号に再度変換してから記録媒体に記録するシステムでは、モニタ装置では正常に画像が表示されるが、図８のノイズリデューサにおける減算器３で得られるフレーム間差信号が、６０Ｐ映像信号の同じフレーム間の差信号の場合と、異なるフレーム間の差信号の場合とがあり、その結果ノイズ除去効果が一様に効かないで２−３逆変換して得られた２４Ｐ映像信号が記録媒体に記録されるため、その記録媒体から再生した映像信号の画像品位が劣化してしまう。
【００１２】
また、２４Ｐ撮像映像信号に対して２−３変換を行って６０Ｐ映像信号を出力するカメラ系と、２４Ｐ映像信号を変換することなく記録した記録媒体から、その２４Ｐ映像信号を再生して２−３変換を行う再生系とのうち、どちらか一方の系から出力された６０Ｐ映像信号を選択して上記のモニタ装置に供給するシステムでは、カメラ系及び再生系のそれぞれにおいて、２−３変換処理の前段に２４Ｐ映像信号用のノイズリデューサが必要となり、構成が複雑になってしまう。
【００１３】
本発明は以上の点に鑑みなされたもので、フレーム周波数変換処理した映像信号が記録された記録媒体から再生した映像信号の画像品位を向上し得る記録再生システムを提供することを目的とする。
【００１４】
また、本発明の他の目的は、簡単な構成によりフレーム周波数変換処理と記録媒体への記録処理及び画像表示処理を行い得る記録再生システムを提供することにある。
【課題を解決するための手段】
【００１５】
本発明は上記の目的を達成するため、第１のフレーム周波数の第１の映像信号を第１のフレーム周波数よりも高い第２のフレーム周波数の第２の映像信号に変換し、その第２の映像信号をノイズ除去してモニタ装置で再生表示すると共に、ノイズ除去後の第２の映像信号を第１のフレーム周波数の第３の映像信号に逆変換して第１の記録媒体に記録する記録再生システムであって、第１の映像信号を供給する供給手段と、第１の映像信号を第２の映像信号に変換する第１の変換手段と、第１の変換手段から出力された第２の映像信号に対してフレーム間差信号を生成し、そのフレーム間差信号に基づいてノイズ除去処理を行うノイズ除去手段と、ノイズ除去手段から出力されたノイズ除去後の第２の映像信号に対して、第１の変換手段の逆変換を行って、第３の映像信号を出力する第２の変換手段と、第２の変換手段から出力された第３の映像信号を第１の記録媒体に記録する記録手段と、ノイズ除去手段及び第２の変換手段の動作を制御する更新パルスを発生する更新パルス発生手段とを有することを特徴とする。
【００１６】
この発明では、第１の変換手段が、第１の映像信号の各フレームを複数回ずつ繰り返して第２のフレーム周波数で出力する変換動作を行い、ノイズ除去手段が、ノイズ除去後の第２の映像信号を蓄積するメモリから読み出した信号と、第１の変換手段から出力された第２の映像信号との差分であるフレーム間差信号を生成して、そのフレーム間差信号に係数を乗算した信号を第２の映像信号から差し引くことによりノイズ除去後の第２の映像信号を出力すると共に、第１の変換手段から出力された第２の映像信号中の第１の映像信号のフレームが切り替わった直後のフレームのみを更新パルスに基づきメモリに書き込むスイッチ手段を有する構成であるため、フレーム間差信号が第２の映像信号中の第１の映像信号の異なるフレーム間の差信号となり、よりノイズに対応した情報を得ることができる。
【００１７】
また、この発明では、第２の変換手段は、更新パルスに基づき第２の映像信号中の第１の映像信号のフレームが切り替わった直後のフレームのみを用いて第１のフレーム周波数の第３の映像信号を出力する変換動作を行うため、ノイズが除去された第２の映像信号に基づいて正しい変換動作ができる。
【００１８】
また、本発明は上記の目的を達成するため、供給手段を、撮像素子により被写体を撮像して第１のフレーム周波数の撮像信号を第１の映像信号として出力する撮像手段、及び第２の記録媒体から再生した第１のフレーム周波数の映像信号を第１の映像信号として出力する再生手段の少なくともどちらか一方により構成されていることを特徴とする。
【発明の効果】
【００１９】
本発明によれば、ノイズ除去後の第２の映像信号を蓄積するメモリから読み出した信号と、第１の変換手段から出力された第２の映像信号との差分であるフレーム間差信号を生成して、そのフレーム間差信号に係数を乗算した信号を第２の映像信号から差し引くことによりノイズ除去後の第２の映像信号を出力するノイズ除去手段が、第２の映像信号中の第１の映像信号のフレームが切り替わった直後のフレームのみを更新パルスに基づきメモリに書き込むスイッチ手段を有する構成であり、フレーム間差信号が第２の映像信号中の第１の映像信号の異なるフレーム間の差信号となり、よりノイズに対応した情報を得ることができるため、フレーム周波数変換後の第２の映像信号に対して正しいノイズ除去を行うことができる。
【００２０】
また、本発明によれば、正しいノイズ除去後の第２の映像信号に対して、更新パルスに基づき第２の映像信号中の第１の映像信号のフレームが切り替わった直後のフレームのみを用いて第１のフレーム周波数の第３の映像信号を出力する変換動作を行うことにより、ノイズが除去された第２の映像信号に基づいて正しい変換動作ができるため、変換後の第３の映像信号を記録媒体に記録して再生した場合、その再生画像の品位を従来に比し向上できる。
【発明を実施するための最良の形態】
【００２１】
次に、本発明を実施するための最良の形態について、図面と共に説明する。図１は本発明になる記録再生システムの一実施の形態のブロック図を示す。本実施の形態は、２４Ｐ映像信号を出力するビデオカメラの出力映像信号を、６０Ｐ映像信号に変換してモニタ装置２２に画像表示させると共に、元の２４Ｐ映像信号に変換してから記録媒体に記録する記録再生システムであり、ＣＣＤ１１から記録装置２０までをビデオカメラが有するビデオ一体型ＶＴＲであってもよい。また、モニタ装置２２もビデオカメラが液晶表示素子（ＬＣＤ）によるビューアとして備えていてもよい。
【００２２】
また、ビデオカメラはＮＲ部１８を有する。このＮＲ部１８は、例えば図２に示すブロック図の構成とされたノイズリデューサ回路である。図２に示すように、ＮＲ部１８は、入力映像信号が供給される減算器３１及び３２と、ＲＯＭにより構成されている係数回路３３と、減算器３１から出力された映像信号を、端子３６よりの更新パルスに応じて通過又は遮断するスイッチ３４と、スイッチ３４からの映像信号を一旦書き込んだ後、減算器３２へ出力するＮＲ用メモリ３５とより構成されている。このＮＲ部１８は、図８に示した従来のノイズリデューサと比較してスイッチ３４が設けられている点に特徴がある。
【００２３】
次に、図１及び図２に示した本実施の形態の動作を、図３のタイミングチャートと共に説明する。図１において、撮像素子であるＣＣＤ（電荷結合素子）１１により被写体からの光を光電変換して得られた撮像信号は、タイミング発生部１７からの図３（Ｂ）に示す基準信号に同期して２４Ｐ映像信号として出力された後、Ａ／Ｄ変換器１２によりディジタル信号に変換され、信号処理部１３により輝度信号及び色信号に変換されて２−３変換メモリ１４に供給され、タイミング発生部１７からの制御信号に基づき書き込まれ、２−３変換されて読み出される。
【００２４】
一方、水晶発振器１５から出力された一定周波数のクロック信号は、リセットパルス発生部１６に供給されて図３（Ａ）に示す如き繰り返し周波数１２Ｈｚのリセットパルスとされた後、タイミング発生部１７に供給されて図３（Ｂ）に示すように繰り返し周波数２４Ｈｚの基準信号と、２−３変換メモリ１４への制御信号（書き込みパルス及び読み出しパルス）と、図３（Ｆ）に示す更新パルスとを互いに同期して発生させる。
【００２５】
２−３変換メモリ１４は、信号処理部１３から出力された２４Ｐ映像信号（輝度信号及び色信号）を、タイミング発生部１７からの制御信号により図３（Ｃ）に模式的に示すように、基準信号出力時点から１／６０秒（図３（Ｅ）に示す６０Ｈｚの垂直同期信号の一周期期間）以内に書き込み、以後、その書き込んだ映像信号を１／６０秒期間毎に、同図（Ｄ）に模式的に示すように３回連続して読み出す。すなわち、２４Ｐ映像信号のある１フレームが、１／６０秒毎に３回繰り返して読み出される。
【００２６】
２−３変換メモリ１４に書き込まれた２４Ｐ映像信号の１フレームの次の１フレームも、同様に書き込まれ、以後、その書き込まれた次の１フレームの映像信号が１／６０秒期間毎に、同図（Ｄ）に模式的に示すように２回連続して読み出す。すなわち、２４Ｐ映像信号の次の１フレームが、１／６０秒毎に２回繰り返して読み出される。以下同様の動作が繰り返され、２−３変換メモリ１４からは、図７と共に説明したように、２−３変換が行われ、これにより６０Ｐ映像信号が読み出される。
【００２７】
ＮＲ部１８は２−３変換メモリ１４から出力された６０Ｐ映像信号が、図２の減算器３１を介してスイッチ３４に供給されると共に、減算器３２に供給される。スイッチ３４は、端子３６を介して入力される更新パルスによりオン／オフ制御されるが、その更新パルスは図３（Ｆ）に示すように、２−３変換メモリ１４から映像信号が３回又は２回連続して読み出される読み出し期間の各１回目の読み出し期間の１／６０秒でのみハイレベルでスイッチ３４をオンとし、それ以外の期間ではローレベルでスイッチ３４をオフとする。また、更新パルスがオンとされる期間で図２に示すＮＲ用メモリ３５の書き込みと読み出しが行われる。
【００２８】
従って、２−３変換メモリ１４から映像信号が３回連続して読み出される読み出し期間の１回目の読み出し期間（１／６０秒）で、スイッチ３４がオンされると共に、そのとき図３（Ｈ）に示すように、ＮＲ用メモリ３５に記憶されていたＮＲ部１８の出力映像信号ｇ０が読み出されて減算器３２に供給され、ここで２−３変換メモリ１４からの１回目の読み出し映像信号との差分がとられ、その差分信号が係数回路３３に供給される。
【００２９】
係数回路３３は図８に示した係数回路４と同様の構成であり、差分信号の値が小さい時には差分信号は雑音が主であると判断して大なる値の係数と差分信号とを乗算した信号を出力し、差分信号の値が大きい時には、差分信号は動画信号成分が主であると判断して小なる値の係数と差分信号とを乗算した信号を出力する。
【００３０】
減算器３１は２−３変換メモリ１４からの１回目の読み出し映像信号から係数回路３３の出力信号を減算して、雑音の除去された映像信号を出力する。この減算器３１の出力映像信号は、このときオン状態にあるスイッチ３４を通して図３（Ｇ）にｇ１で示すようにＮＲ用メモリ３５に書き込まれると共に、図３（Ｉ）にｇ１で示すようにＮＲ部１４の出力６０Ｐ映像信号として出力される。
【００３１】
続く２−３変換メモリ１４からの３回連続読み出し期間の２回目と３回目の各期間（１／６０秒）では、ＮＲ用メモリ３５からはＮＲ用メモリ３５に書き込まれた上記の映像信号ｇ１が図３（Ｈ）に示すように２回繰り返して読み出されて、その時もＮＲ部１４から雑音除去された映像信号が出力されるが（図３では図示せず）、これらの各期間ではスイッチ３４はオフであるため、図３（Ｇ）に示すようにＮＲ用メモリ３５への書き込み更新は行われない。
【００３２】
続く２−３変換メモリ１４からの２回連続読み出し期間の１回目の読み出し期間では、図３（Ｆ）に示すように、スイッチ３４がオンとされ、また図３（Ｈ）に示すように、上記の映像信号ｇ１の３回目の読み出しが行われ、この読み出し映像信号ｇ１が減算器３２に供給され、ここで２−３変換メモリ１４からの１回目の読み出し映像信号との差分がとられ、その差分信号が係数回路３３により係数と乗算されて減算器３１に供給される。
【００３３】
減算器３１は２−３変換メモリ１４からの１回目の読み出し映像信号から係数回路３３の出力信号を減算して、雑音の除去された映像信号を出力する。この減算器３１の出力映像信号は、このときオン状態にあるスイッチ３４を通して図３（Ｇ）にｇ２で示すようにＮＲ用メモリ３５に書き込まれて記憶内容を更新すると共に、図３（Ｉ）にｇ２で示すようにＮＲ部１４の出力６０Ｐ映像信号として出力される。
【００３４】
続く２−３変換メモリ１４からの２回連続読み出し期間の２回目の期間（１／６０秒）では、ＮＲ用メモリ３５からはＮＲ用メモリ３５に書き込まれた上記の映像信号ｇ２が図３（Ｈ）に示すように読み出されて、その時もＮＲ部１４から雑音除去された映像信号が出力されるが（図３では図示せず）、この期間ではスイッチ３４はオフであるため、図３（Ｇ）に示すようにＮＲ用メモリ３５への書き込み更新は行われない。以下、上記と同様の動作が繰り返される。
【００３５】
従って、このときの２−３変換メモリ１４に供給される２４Ｐ映像信号とＮＲ部１８に供給される６０Ｐ映像信号と、ＮＲ部１８内の更新パルスとの関係は、図４に示すようになる。図４（Ｃ）に示す更新パルスは、同図（Ｂ）に示す６０Ｐ映像信号の各１回目の読み出し期間に対応してハイレベルとされる。
【００３６】
再び図１に戻って説明するに、ＮＲ部１８から上記のようにして雑音除去された６０Ｐ映像信号が出力されて２分岐され、一方はＤ／Ａ変換器２１に供給されて６０Ｐアナログ映像信号に変換された後、６０Ｐ映像信号表示用モニタ装置２２に供給されて画像表示され、他方は２−３逆変換メモリ１９に供給される。
【００３７】
２−３逆変換メモリ１９は、前述した２−３変換とは逆変換を行うメモリである。すなわち、２−３逆変換は、６０Ｐ映像信号の５フレーム分（＝１／１２秒）を、２４Ｐ映像信号の２フレーム分（＝１／１２秒）に変換する方法で、例えば６０Ｐ映像信号の５フレームのうちの最初の１フレーム目をフレーム周波数２４Ｈｚで出力した後、４フレーム目をフレーム周波数２４Ｈｚで出力することを、６０Ｐ映像信号の５フレーム単位で繰り返すことにより、２４Ｐ映像信号を得る変換方法である。
【００３８】
ここで、２−３逆変換メモリ１９に供給される６０Ｐ映像信号の連続する５フレームのうち最初の１フレーム目を図３（Ｉ）に示すｇ１とし、４フレーム目をｇ２とするように、図３（Ｆ）に示す更新パルスに同期して５フレーム単位で書き込んだ後、２４Ｈｚで読み出すことにより、６０Ｐ映像信号のうちＮＲ効果の付与されたフレーム（図３では更新パルスがハイレベル期間に対応したフレーム）のみを２−３逆変換することができる。６０Ｐ映像信号の連続する５フレームのうち、更新パルスがローレベルである期間に対応した２、３、５フレーム目の映像信号は、２−３逆変換に用いず破棄するため、図１のＮＲ部１８で正しくＮＲ効果が付与されていなくてもよい。
【００３９】
２−３逆変換メモリ１９から出力された２４Ｐ映像信号は、記録装置２０に供給され、ここで磁気テープ等の記録媒体に公知の手段で記録される。従って、この記録媒体に記録された２−３逆変換による２４Ｐ映像信号を再生した場合は、元の２４Ｐ映像信号の各フレームの情報に対して正常に雑音除去処理された映像信号が再生されるため、この再生映像信号をモニタ表示装置で表示した場合、従来に比べて再生画像品位を向上できる。
【００４０】
次に、本発明の他の実施の形態について説明する。図５は本発明になる記録再生システムの他の実施の形態の概略ブロック図を示す。同図中、図１と同一構成部分には同一符号を付し、その説明を省略する。図５に示す実施の形態は、図１のＣＣＤ１１〜２−３変換メモリ１４を有するカメラ系４１と、再生系４２の一方から出力された２４Ｐ映像信号を共通のＮＲ部１８に供給してＮＲ効果を付与した後、図１に示した２−３逆変換メモリ１９及び記録装置２０を有する記録系４３と、Ｄ／Ａ変換器（図示せず）とモニタ装置２２を有する表示系４４の一方又は両方に供給するシステムであり、再生系４２が図１のシステムに付加されている。
【００４１】
ここで、再生系４２は、記録媒体に記録されている２４Ｐ映像信号を再生する再生装置４５と、その再生２４Ｐ映像信号を２−３変換メモリ１４と同様の方法で２−３変換するために用いる２−３変換メモリ４６を少なくとも含む構成とされている。この再生系４２から変換出力された再生６０Ｐ映像信号はＮＲ部１８に供給される。なお、図５では図示を省略したが、前述した更新パルスは、２−３変換メモリ１４、４６、２−３逆変換メモリ１９へ出力されている。
【００４２】
本実施の形態は、再生系４２が図１のシステムに付加されたものであり、基本的には図１の実施の形態と同様の動作が行われる。このシステムでは、カメラ系４１と再生系４２の両方共に６０Ｐ映像信号が出力されるので、ＮＲ部１８を共用でき、構成を簡略化できる。
【００４３】
なお、本発明は以上の実施の形態に限定されるものではなく、例えば、２−３変換を行う替わりに、記録媒体から再生した図６（Ａ）に模式的にフレーム単位で示す映像信号の各フレームを同図（Ｂ）に示すように３回ずつ繰り返して出力するスロー再生を行い、そのスロー再生映像信号に対して図２の構成のＮＲ部への更新パルスを図６（Ｃ）に示すように供給することで、スロー再生映像信号に対して正しく雑音除去を行うことも可能である。
【００４４】
また、本発明は、図５のカメラ系４１を省略し、再生系４２とＮＲ部１８と記録系４３と表示系４４とからなる記録再生システムにも適用可能である。この場合、再生系４２により記録媒体から再生された２４Ｐ映像信号が２−３変換メモリ４６により６０Ｐ映像信号に変換された後、ＮＲ部１８に供給されて、上記の実施の形態と同様にして雑音除去処理が行われる。ＮＲ部１８から出力された６０Ｐ映像信号は、表示系４４で表示される一方、記録系４３では２−３逆変換メモリ１９により再度元の２４Ｐ映像信号に変換された後、記録媒体に記録される。更に、２４Ｐ映像信号から６０Ｐ映像信号に変換する方法は、２−３変換に限定されるものではない。
【００４５】
また更に、図１において、ＣＣＤ１１から２−３変換メモリ１４までの回路部だけをビデオカメラが有し、ＮＲ部１８以降は外部に設けられていてもよく、他方、図５においては、全ての構成をビデオカメラが有する構成としてもよい（この場合、再生系４２と記録系４３は一つの記録再生系を構成する。）。
【図面の簡単な説明】
【００４６】
【図１】本発明の一実施の形態のブロック図である。
【図２】図１中のＮＲ部の一実施の形態のブロック図である。
【図３】図１及び図２の動作説明用タイミングチャートである。
【図４】図１の２４Ｐ映像信号と６０Ｐ映像信号と更新パルスとの関係を示す図である。
【図５】本発明の他の実施の形態の概略ブロック図である。
【図６】本発明の更に他の実施の形態の動作説明用模式図である。
【図７】２−３変換の一例の説明図である。
【図８】従来システムで用いるノイズリデューサの一例のブロック図である。
【符号の説明】
【００４７】
１１  ＣＣＤ（電荷結合素子）
１４、４６  ２−３変換メモリ
１５  水晶発振器
１６  リセットパルス発生器
１７  タイミング発生部
１８  ＮＲ（ノイズリデューサ）部
１９  ２−３逆変換メモリ
２０  記録装置
２２  モニタ装置
３１、３２  減算器
３３  係数回路
３４  スイッチ
３５  ＮＲ用メモリ
３６  更新パルス入力端子
４１  カメラ系
４２  再生系
４３  記録系
４４  表示系
４５  再生装置
【図１】
2006086915.tif 000003
【図２】
2006086915.tif 000004
【図３】
2006086915.tif 000005
【図４】
2006086915.tif 000006
【図５】
2006086915.tif 000007
【図６】
2006086915.tif 000008
【図７】
2006086915.tif 000009
【図８】
2006086915.tif 000010